(57)【要約】    【課題】    扉を吊るワイヤーとワイヤーの先端に設けた錘とにて構成され、錘と扉のバランスにより、扉の開閉を自由に行ない得るようにしたドラフトチャンバーの扉で、ワイヤーの切断により扉が落下するのを防止する。    【解決手段】    扉とワイヤーの接続部分にスプリングにて一方向に回動するようにしたストッパーを設けた昇降扉落下防止機構で、正常時はワイヤーによる扉を支持する方向への力によりスプリングの力に抗してストッパーが回動しないようにつまりストッパーが作動しないようにし、ワイヤーが切断した時に直ちにスプリングによるストッパーの回動により作動して、扉の落下を抑制、阻止して、安全性を確保するようにした。【選択図】            図１
2008285907.tif 000002
【特許請求の範囲】
【請求項１】
ドラフトチャンバーの前面に設けられた昇降扉で、扉を吊るワイヤーによりその他端に設けた鍾とのバランスにて開閉が簡単でしかも自由な位置に停止し得るようにした扉開閉機構であって、扉とワイヤーの接続部分に設けられたワイヤーの切断による扉の落下時にのみ作動するようにした昇降扉の落下防止機構。
【請求項２】
前記扉落下防止機構が、昇降扉に設けられた軸に対し回動可能に支持されたストッパーと、前記ストッパーを作動位置に移動させるためのスプリングとを備え、前記ストッパーに前記ワイヤーを取り付けることにより、ストッパーを介してワイヤーにより前記昇降扉を保持するようにしたもので、ワイヤーによる扉を支持する方向への力の作用により、前記スプリングの力に抗して、ストッパーが非作動位置を保つようにし、昇降扉の上下動を自由に行い得るようにすると共に、ワイヤーの切断により、前記スプリングの作用によりストッパーを作動位置に移動させて昇降扉が落下するのを防止するようにした請求項１の昇降扉の落下防止機構。
【請求項３】
前記ストッパーの先端の爪が昇降扉を上下動可能にガイドする窓枠の壁面に圧着することにより昇降扉の落下を抑制するようにした請求項２の昇降扉の落下防止機構。
【請求項４】
前記窓枠に開口を有する落下防止枠を設け、前記ストッパーが作動位置にある時、前記ストッパーの爪が前記開口内に挿入され、これにより昇降扉の下降を完全に停止させるようにした請求項３の昇降扉の落下防止機構。
【発明の詳細な説明】
【技術分野】
【０００１】
本発明はドラフトチャンバーに関するもので、特にドラフトチャンバーにおける昇降扉の落下防止機構に関するものである。
【背景技術】
【０００２】
ドラフトチャンバーは、周知のように化学薬品等を使用しての実験の際にガスや粒子等の危険物質が発生し、これによる作業者（実験者）等への悪影響を除くために、これら危険物質を囲い込んで排気する装置である。
【０００３】
このドラフトチャンバーは図３に示すようにドラフトチャンバー本体１が作業室２と収納室３とを有し、作業室２には作業台４が設けられ、作業室２内の作業台４の上で化学実験等の作業が行なわれる。
【０００４】
又、作業室２の前面開口部分には、この開口部分の開閉を行なう昇降扉９が設けられている。一方、作業室２の背面には、排気路４を形成する背面仕切板が形成され、本体上部には排気口５が形成され、作業室内のガスが排気路４を通って排気口５より排出されるようにしている。これにより、前述の通りの作業の際に発生するガス等の危険物質を排出して空気の入れ換えが行なわれるようにしている。
【０００５】
以上述べたドラフトチャンバーは、作業者が実験を行なう際に内部のエアーの流れを所定の状態に維持するために昇降扉９が設けられており、作業室内のエアーの流れが良好に保たれるように閉じられる。又、作業者の作業にあたっては、扉が開かれた状態にする必要がある。そのために、作業者にとって作業が行ない得る状態で、しかもできる限りドラフトチャンバー内のエアーの流れ等が望ましい状態を維持するように扉の開く程度、扉と空間の間の位置を設定して作業を行なうことが好ましい。
【０００６】
しかも、作業内容により扉を比較的開く必要がある場合とあまり開かなくとも作業し得るものがあり、扉を開く必要のある程度は異なる。
【０００７】
そのために、この昇降扉は開閉が容易であると共に、必要とする作業空間を保ち得て、しかもドラフトチャンバーの作業室内の状態（エアーの流れ等）を維持するために所望の位置で停止した状態を持続させる必要がある。
【０００８】
そのために、ドラフトチャンバーにおける扉開閉機構は、図５又は図６に示すような原理を用いた構成である。
【０００９】
例えば、図４に示すように扉１０を左右２本のワイヤー１１、１２により、吊ることにより保持し、ワイヤー１１、１２の他端は滑車１３、１４を介して夫々鍾１５、１６を設け、この鍾による引き上げる力を開閉扉１０に掛かる重力と等しくしてバランスさせている。そして、このような機構を用いることにより昇降扉１０は適宜位置に停止し得るようになっている。又、作業者が昇降扉を押し上げあるいは押し下げた場合、極めて軽い力にて動き得る。しかも、押し上げる又は押し下げる力を止めたときはその位置で停止し、この停止状態を保つようにしてある。
【００１０】
図５は同様の原理による扉開閉機構の他の例で、滑車１７、１８を介して、二つのワイヤー１１、１２は一つにまとめ、その先に共通の一つの鍾１９を接続したもので、原理は図５と基本的に同じで、鍾による引き上げる力が扉の重力と釣り合うように構成されている。
【００１１】
このようなドラフトチャンバーの昇降扉開閉機構において、ワイヤー１１、１２が切断した時扉が落下する。特に作業中に扉が落下すると作業者にとって危険である。
【００１２】
このような危険性を避けるために、従来は昇降扉にストッパーが設けられており、作業を行なう際に作業者がこのストッパーをセットしてから作業を行なうようにしていた。又、作業終了後にはストッパーのセットを解除した後に昇降扉を閉じていた。
【００１３】
このように、作業者が手動にてストッパーのセットおよびセット解除を行なわねばならず、不便であった。
【発明の開示】
【発明が解決しようとする課題】
【００１４】
本発明は、ドラフトチャンバーの昇降扉を支持するワイヤーが切断した時に、直ちにストッパーが作用して扉の落下を防止するようにしたドラフトチャンバーにおける昇降扉の落下防止機構を提供するものである。
【課題を解決するための手段】
【００１５】
本発明の扉落下防止機構を備えたドラフトチャンバーは、その扉が鍾によるバランスにて開閉可能とし、又適宜位置にて停止し得るようにしたもので、扉を吊るワイヤーの先端にワイヤーが切断した時に作動するストッパーを設けたものである。
【００１６】
この本発明のドラフトチャンバーに設けられた扉落下防止機構は、ワイヤーの扉を吊るための接続部分に取りつけられ、ワイヤーに鍾の荷重が加わっている時は作動せず、鍾の荷重がなくなった時に作動するようにした。
【００１７】
これにより、ワイヤーの切断により荷重が掛からなくなった時に、ストッパーとしての作用が働き、これにより扉の落下を阻止するものである。
【００１８】
本発明のドラフトチャンバーにて用いられる扉落下防止機構は、ストッパーを有しこのストッパーがばねの力にて作動するように構成されるもので、常時は鍾の荷重による力にて作動しないように支持され、ワイヤーの切断により鍾の荷重の消失により作動するものである。
【００１９】
したがって、ワイヤーの切断等によるワイヤーに加わる力が消失した際にばねによりストッパーが作動して直ちに扉の落下を阻止するようにしたものである。
【発明の効果】
【００２０】
本発明は、ワイヤーにて吊り、錘によりバランスさせて上下動可能で、任意位置にて停止するようにした昇降扉で、ワイヤーがどの位置で切断してもこの切断により扉が落下した時に直ちに作動して落下防止することにより、作業の危険を完全に除去し得る。
【発明を実施するための最良の形態】
【００２１】
本発明の実施の形態を、図示する実施例にもとづいて説明する。
【実施例１】
【００２２】
図１は、本発明のドラフトチャンバーの昇降扉の落下防止機構を示す。この図１において、２０はドラフトチャンバーの前面開口部（窓）の側面に設けられた昇降扉を上下動可能に保持する扉保持枠（窓枠）で、この保持枠部分に落下防止機構３０が設けられている。この落下防止機構３０は、爪３４を有するストッパー３３よりなり、昇降扉の枠に取り付けられた軸３１に回動可能に支持され、このストッパー３３はばね３２により時計方向に回動させるように構成されている。又、このストッパー３３の一端には、ワイヤー取り付け孔３５が形成され、この孔３５に昇降扉を吊るワイヤーの先端が掛けられている。
【００２３】
したがって、昇降扉はワイヤーによりストッパー３３を介して昇降可能に支持される。
【００２４】
この実施例の落下防止機構は、図１（Ａ）に矢印にて示す方向の力が働いている時は、この落下防止機構は作動せず、つまり取り付け孔３５に掛かる上方への力によりばね３２の軸３１のまわりの回動力が阻止され図１（Ａ）の状態を保持する。
【００２５】
一方、孔３５に掛る力が働かない時は、ばね３２の力により、ストッパー３３は回動して、図１（Ｂ）に示す落下防止機構が作動状態になる。
【００２６】
図２により、本発明の落下防止機構の作用について述べる。
【００２７】
図２に示すように、ストッパーのワイヤー取付孔３５にワイヤー４０が取り付けられ、これにより昇降扉は落下防止機構３０を介してワイヤー４０にて支持されている。図２において、（Ａ）はワイヤー４０が切断していない正常状態を示し、（Ｂ）はワイヤーが切断した落下防止機構が作動した状態を示す。
【００２８】
この図２の（Ａ）に示すように、ワイヤー４０により昇降扉が支持されている時は、ワイヤーにかかる荷重により（鍾によるワイヤー４０を引く力により）ストッパー３３はそのワイヤー４０の接続部分が引き上げられている。つまり、図２の矢印方向への力が加えられている。これにより、図２（Ａ）のように、昇降扉は、実験者等による上下動操作による上下動が行なわれ、あるいは、所定の位置にて静止保持される。
【００２９】
一方ワイヤー４０が切断した時は、荷重が掛からなくなり、つまりワイヤー４０によるストッパー３３を矢印方向への引き上げる力がなくなり、ばね３２の作用によりストッパー３３は時計方向に回動する。これにより、ストッパー３３の爪３４は、窓の保持枠２０に形成されている落下防止板（落下防止枠２１）の受け孔に入り、扉が落下するのを阻止する。
【００３０】
以上のように、実施例の扉落下防止機構を備えた昇降扉は、ワイヤーが切断した時も扉の落下を防止し、ドラフトチャンバーの作業室での作業を安全に進めることができる。
【００３１】
この図示する落下防止機構において、ストッパー３３の先端の爪３４を受ける受け孔は、窓枠部分（落下防止枠２１）に複数箇所設けられている。
【００３２】
そのため、落下防止機構が作動した時、つまりストッパー３３のばね３２による回動時、ストッパー３３の爪３４が落下防止枠２１の受け孔に挿入される位置にない時には、扉が僅かな距離落下した後に、ストッパー３３の爪３４が受け孔２１に挿入され扉の落下は安全に止まる。その際の距離は比較的小であり、作業者に対し危険をともなうことはない。しかも、ストッパー３３の爪３４は一定の厚みを有し、窓の保持枠表面への圧着による摩擦により、落下は抑制され、ゆっくりとずれ落ちた後に停止することになるため、危険性は全くない。
【００３３】
尚、この実施例１では、昇降扉を保持する保持枠に設けられた落下防止枠は、受け孔を複数設けたもので、本発明の落下防止機構が作動しつまりストッパー３３が回動して爪３４がこの受け孔２１内に挿入されて落下が阻止される構成であるが、これに限るものではなく、作動状態においてストッパー３３の爪３４により落下を阻止する構造であればよい。
【００３４】
また、本発明の落下防止機構として、前記構成のうち、落下防止枠に受け孔を設けることなく、ストッパーの爪を単に落下防止枠に圧着させることにより、扉の落下を抑制させることにより安全性を確保することも可能である。
【００３５】
この場合、ストッパーの爪と落下防止枠との圧着する部分の摩擦が大になるような構成とすることにより、抑制効果を向上させることが可能である。
【００３６】
又、ばねの力を強くすることによって、ストッパーの爪の圧着力を強くすることも昇降扉の落下を抑制する力を大にする上で有効であり、防止効果、特に十分な安全性を確保し得る。
【産業上の利用可能性】
【００３７】
化学実験等を行う際に用いられるドラフトチャンバーの開閉を行う昇降扉に取り付けるもので、ワイヤーの切断による突然の落下が防止され、これにより、作業中にワイヤーが切断した場合扉の落下が直ちに停止するので、作業者の危険を防止し得る。
【図面の簡単な説明】
【００３８】
【図１】本発明の落下防止機構の構成を示す図
【図２】本発明の落下防止機構による昇降扉の落下防止作用を説明する図
【図３】ドラフトチャンバーの構成を示す図
【図４】ドラフトチャンバーの昇降扉の扉開閉機構の原理の一例を示す図
【図５】ドラフトチャンバーの昇降扉の扉開閉機構の原理の他の例を示す
【符号の説明】
【００３９】
２０      扉保持枠
２１      落下防止枠
３０      落下防止機構
３１      軸
３２      ばね
３３      ストッパー
３４      爪
３５      ワイヤー取り付け孔
４０      ワイヤー
【図１】
2008285907.tif 000003
【図２】
2008285907.tif 000004
【図３】
2008285907.tif 000005
【図４】
2008285907.tif 000006
【図５】
2008285907.tif 000007